(57)【特許請求の範囲】
【請求項１】
衛星からの送信波に含まれる現在の時刻に関する情報及び現在の閏秒に関する情報に基づいて内部時刻を修正する電波腕時計において、
前記現在の閏秒に関する情報の次回の送信時に、前記現在の閏秒に関する情報の受信を試みることを示す、閏秒受信予告情報を表示する閏秒受信予告情報表示手段と、
使用者からの入力を受け付ける入力手段を有し、
前記入力手段からの入力に基づいて、前記現在の閏秒に関する情報の次回の送信時における、前記現在の閏秒に関する情報の受信を取りやめる
電波腕時計。
【請求項２】
衛星からの送信波に含まれる現在の時刻に関する情報及び現在の閏秒に関する情報に基づいて内部時刻を修正する電波腕時計において、
前記現在の閏秒に関する情報の次回の送信時に、前記現在の閏秒に関する情報の受信を試みることを示す、閏秒受信予告情報を表示する閏秒受信予告情報表示手段を有し、
現時点から前記現在の閏秒に関する情報の次回の送信時までの時間である送信待ち時間に応じて、前記現在の閏秒に関する情報の受信を制限する
電波腕時計。
【請求項３】
現時点から前記現在の閏秒に関する情報の次回の送信時までの時間である送信待ち時間に関する情報である送信待ち時間情報を表示する請求項１又は２に記載の電波腕時計。
【請求項４】
現時点から前記現在の閏秒に関する情報の次回の送信時までの時間である送信待ち時間に応じて音を発生する音発生手段及び／又は振動を発生する振動発生手段を有する請求項１乃至３のいずれかに記載の電波腕時計。
【発明の詳細な説明】
【技術分野】
【０００１】
本発明は、電波腕時計に関する。
【背景技術】
【０００２】
特許文献１には、ＧＰＳ（Ｇｌｏｂａｌ  Ｐｏｓｉｔｉｏｎｉｎｇ  Ｓｙｓｔｅｍ）衛星からの衛星信号を受信し、かかる衛星信号に含まれるＧＰＳ時刻情報に基づいて時刻を修正するＧＰＳ付き腕時計が記載されている。同文献記載の発明では、取得したＺカウント（ＴＯＷ；Ｔｉｍｅ  ｏｆ  Ｗｅｅｋ）に１４秒のＵＴＣオフセットを加えることにより協定世界時を算出している（段落００６６）。
【０００３】
特許文献２には、ＧＰＳ衛星からの衛星信号に含まれるＧＰＳ時刻情報に基づいて時刻を修正する時計装置が記載されている。同文献記載の発明では、ＧＰＳ衛星から閏秒補正データが送信される１２．５分毎のタイミングで閏秒補正データを受信する。
【先行技術文献】
【特許文献】
【０００４】
【特許文献１】特開２００９−１６８６２０号公報
【特許文献２】特開２００８−１４５２８７号公報
【発明の概要】
【発明が解決しようとする課題】
【０００５】
ＧＰＳ衛星からの信号に含まれる時刻（ＧＰＳ時刻）を示す情報であるＴＯＷは、閏秒の修正がなされないため、ＵＴＣ（協定世界時）からのずれが存在している。このずれは、不定期に行われる閏秒の追加又は削除の度に変化する。ＧＰＳ衛星からの信号には、このずれである、現在の閏秒を示す情報が含まれており、ＧＰＳ時刻を用いて標準時を求める際には、かかる現在の閏秒を示す情報を受信し、ＧＰＳ時刻に得られた現在の閏秒を加算して正確なＵＴＣを得たうえで、ＵＴＣにタイムゾーンに応じた時差を加えなければならない。この現在の閏秒を示す情報は１２．５分毎に一回送信される。
【０００６】
かかる事情は、ＧＰＳ衛星からの信号に基づき時刻を修正する電波腕時計にも同様にあてはまる。そのため、電波腕時計が現在の閏秒を示す情報を受信するに際し、最大で１２．５分を要することとなる。一方、ＧＰＳ衛星からの電波は１５７５．４２ＭＨｚのＵＨＦ帯であり、建造物等の障害物や、電波腕時計の姿勢（アンテナの向き）などによりその受信環境は大きく変化する。そこで、現在の閏秒を示す情報をより確実に受信するためには、電波腕時計の使用者に対し、電波腕時計が、かかる現在の閏秒を示す情報を受信しようとしていることを、何らかの手段により通知することが望ましい。
【０００７】
本発明は、かかる事情に鑑みてなされたものであり、ＧＰＳ衛星等の衛星からの電波を受信し、時刻を修正する電波腕時計において、現在の閏秒を示す情報を受信しようとしていることを、使用者に表示することを目的とする。
【課題を解決するための手段】
【０００８】
上記課題を解決するために、本発明に係る衛星からの送信波に含まれる現在の時刻に関する情報及び現在の閏秒に関する情報に基づいて内部時刻を修正する電波腕時計は、前記現在の閏秒に関する情報の次回の送信時に、前記現在の閏秒に関する情報の受信を試みることを示す、閏秒受信予告情報を表示する閏秒受信予告情報表示手段を有する。
【発明の効果】
【０００９】
上記本発明によれば、ＧＰＳ衛星等の衛星からの電波を受信し、時刻を修正する電波腕時計において、現在の閏秒を示す情報を受信しようとしていることを、使用者に表示することができる。
【図面の簡単な説明】
【００１０】
【図１】本発明の第１の実施形態に係る電波腕時計の平面図である。
【図２】電波腕時計の内部に配置された部材の位置関係を示す図である。
【図３】第１の実施形態に係る電波腕時計の機能ブロック図である。
【図４】ＧＰＳ衛星から送信される信号のサブフレームの構成を示す概略図である。
【図５】サブフレーム１の構成を示す図である。
【図６】サブフレーム４のページ１８の構成を示す図である。
【図７】第１の実施形態に係る電波腕時計の、受信の際の動作を示すフローチャートである。
【図８】第１の実施形態に係る電波腕時計の、受信の際の動作を示すフローチャートである。
【図９】第１の実施形態に係る電波腕時計の、受信の際の動作を示すフローチャートである。
【図１０】第１の実施形態に係る電波腕時計が送信待ち時間に関する情報を使用者に通知している例を示す図である。
【図１１】第１の実施形態に係る電波腕時計が送信待ち時間に関する情報を使用者に通知している別の例を示す図である。
【図１２】第１の実施形態に係る電波腕時計が送信待ち時間に関する情報を使用者に通知しているさらに別の例を示す図である。
【図１３】本発明の第２の実施形態に係る電波腕時計の平面図である。
【発明を実施するための形態】
【００１１】
図１は、本発明の第１の実施形態に係る電波腕時計１００を示す平面図である。同図には、電波腕時計１００の外装である胴１、胴１内に配置された文字板２と時刻を示す指針である時針３、分針４及び秒針５が同軸上に配置されて示されている。文字板２は、衛星から到達する電波が透過し、文字板２の背後に配置されたパッチアンテナで受信されるよう、非磁性かつ非導電性の材料、例えば、合成樹脂で形成される。また、時針３、分針４及び秒針５とは別の軸上に、電波腕時計１００の状態を表示する指針である状態表示針６が配置されており、文字板２上には、電波腕時計１００の種々の状態を示す目盛である状態表示目盛７が記されている。また、胴１の３時側の側面には使用者が種々の操作を行うための竜頭８、ボタン９が配置されている。胴１の１２時側及び６時側の側面からは、バンドを固定するためのバンド固定部１０が伸びている。
【００１２】
なお、同図に示した電波腕時計１００のデザインは一例である。ここで示したもの以外にも、例えば、胴１を丸型でなく角型にしてもよいし、竜頭８やボタン９の有無、数、配置は任意である。また、本実施形態では、指針を時針３、分針４、秒針５及び状態表示針の４本としているが、これに限定されず、秒針５を省略したり別軸で設けたり、あるいは秒針５を状態表示針６を兼ねるものとしてもよい。さらに、曜日、タイムゾーンやサマータイムの有無、電池の残量等、各種の表示を行う指針や、日付表示等を追加したりしてもよく、状態表示針６がこれらの表示を兼ねるものとしても良い。
【００１３】
なお、本明細書では、電波腕時計という用語を、腕時計であって、かつ、外部からの電波を受信し、当該電波に含まれる時刻に関する情報に基づき、腕時計内部に保持している時刻の情報である内部時刻を修正する機能を有している腕時計を指すものとして用いる。
【００１４】
図２は、電波腕時計１００の内部に配置された部材の位置関係を示す図である。同図では、参考のため、胴をはじめとする電波腕時計１００の外装を二点鎖線で示した。
【００１５】
符号１１で示されているのは、ＧＰＳ衛星からの電波を受信するパッチアンテナであり、その受信面が風防側を向くように配置される。パッチアンテナの横には、電池１２が配置される。本実施形態では、電池１２は充電可能な二次電池であり、ボタン型のリチウムイオン二次電池を用いている。そして、文字板に形成され、あるいは文字板の背後に設置された太陽電池により発電された電力が蓄積されるようになっている。
【００１６】
ところで、一般に長波帯を用いて地上局から送信される標準電波を用いて時刻修正を行う電波時計では、フェライトあるいはアモルファス合金等の磁芯にコイルを巻いた形式のいわゆるバーアンテナが用いられることが多い。これに対し、本実施形態に係る電波腕時計１００では、はるかに周波数の高いＵＨＦ帯を用いてＧＰＳ衛星から送信される信号を受信する。そのため、ＵＨＦ帯の信号の受信に適した小型のアンテナとして、パッチアンテナ１１を用いている。
【００１７】
また、本実施形態では、電波腕時計１００は太陽光発電による電力により駆動し、蓄電可能な二次電池を備えたものとして示したが、これに換え、一次電池を使用するものとしてもよい。その場合には、太陽電池は不要である。また、電池１２の形状はボタン型に限定されず、任意である。さらに、二次電池としてリチウムイオン二次電池以外のもの、例えば、リチウムイオンキャパシタやニッケル水素畜電池を用いてもよい。
【００１８】
符号１３は、電波腕時計１００全体の動作を制御するとともに、内部回路により時刻を計時するコントローラである。またパッチアンテナ１１及び電池１２を挟んだ反対側には、パッチアンテナ１１により受信された信号をベースバンド信号へと変換する高周波回路１４及び、ベースバンド信号より情報を抽出するデコード回路１５の位置が示されている。
【００１９】
なお、ここで示したコントローラ１３、高周波回路１４及びデコード回路１５の配置は一例である。特に、本実施形態では高周波回路１４とデコード回路１５は、回路基板の両面の相対する位置に配置されており、両者をスルーホールで接続することにより、両者を結ぶ配線経路を短くし、寄生容量やインピーダンスを小さくしてノイズの影響を低減している。しかしながら、これに限定されず、高周波回路１４とデコード回路１５を回路基板の同一の面に配置してもよいし、高周波回路１４とデコード回路１５の機能を統合したワンチップの集積回路を用いてもよい。
【００２０】
図３は、本実施形態に係る電波腕時計１００の機能ブロック図である。パッチアンテナ１１により受信されたＧＰＳ衛星からの電波は、高周波回路１４によりベースバンド信号に変換され、デコード回路１５により時刻に関する情報であるＴＯＷや必要に応じてＷＮＷｅｅｋ  Ｎｕｍｂｅｒ）、あるいは現在の閏秒に関する情報である現在の閏秒ΔｔＬＳが抽出され、コントローラ１３へと受け渡される。コントローラ１３は、電波腕時計１００全体の動作を制御するマイクロコンピュータであると同時に、その内部に時計回路を有しており、かかる時計回路が保持する時刻である、内部時刻を計時する機能を有している。時計回路の精度は、用いる水晶振動子の精度や温度等の使用環境にも依存するが、月差±１５秒程度である。もちろん、この精度は、必要に応じて任意に設定して良い。また、時計回路により保持される内部時刻は、受信された時刻に関する情報及び現在の閏秒に関する情報に基づいて適宜修正されることにより、正確に保たれる。
【００２１】
コントローラ１３には、使用者等による外部からの操作を受け付ける入力手段（竜頭８、ボタン９）からの信号が入力される。また、コントローラ１３からは、内部時刻に基づいてモータ１７を駆動する信号が出力され、指針（時針３、分針４及び秒針５）を駆動し、時刻が表示される。さらに、電波腕時計１００の状態に応じた信号がモータ１７に出力され、状態表示針６が駆動される。なお、指針を駆動するモータ１６は１つに限定されず、独立して動作させたい指針の数に応じて複数のモータを設けてよい。
【００２２】
また、太陽電池１８による発電により得られた電力は、電池１２に蓄積される。そして、電池１２からは、高周波回路１４、デコード回路１５及びコントローラ１３に電力が供給される。スイッチ１９は、高周波回路１４及びデコード回路１５への電力供給のオン／オフを切り替えるスイッチであり、コントローラ１３により制御される。高周波数で動作する高周波回路１４とデコード回路１５はその消費電力が大きいため、コントローラ１３は、衛星からの電波を受信する時のみスイッチ１９をオンとして高周波回路１４及びデコード回路１５を動作させ、それ以外の時はスイッチ１９をオフとして、消費電力を低減する。
【００２３】
なお、太陽電池１８からは、その発電量を示す情報がコントローラ１３に入力されるようにされているが、これは、必要無ければ省略してもよい。
【００２４】
電波の受信は、竜頭８やボタン９等の入力手段による使用者からの要求がなされた時や、あらかじめ定められた時刻となったとき、前回の時刻修正があった時刻からの経過時間、あるいは太陽電池１８の発電量やその他の電波腕時計１００の周囲の環境を示す情報等に基づいて行うようにして良い。受信時の動作については、その詳細を後述する。
【００２５】
そして、符号２０は、音を発生する音発生手段、または振動を発生する振動発生手段であり、本実施形態では、音発生手段であるブザーとなっている。音発生手段または振動発生手段にはどのようなものを用いてもよく、例えば、音発生手段としては圧電ブザーを、振動発生手段としては偏心モータを用いて良い。あるいは、音発生手段と振動発生手段の双方を備えるようにしても良い。
【００２６】
続いて、本実施形態に係る電波腕時計が受信するＧＰＳ衛星からの信号について説明する。ＧＰＳ衛星から送信される信号は、Ｌ１帯と呼ばれる１５７５．４２ＭＨｚをキャリア周波数としており、１．０２３ＭＨｚの周期でＢＰＳＫ（二位相偏移変調）により変調された各ＧＰＳ衛星固有のＣ／Ａコードにより符号化され、いわゆるＣＤＭＡ（Ｃｏｄｅ  Ｄｉｖｉｓｉｏｎ  Ｍｕｌｔｉｐｌｅ  Ａｃｃｅｓｓ；符号分割多元接続）の手法により多重化されている。Ｃ／Ａコード自体は１０２３ビット長であり、信号に乗せられるメッセージ・データは２０個のＣ／Ａコード毎に変化する。すなわち、１ビットの情報は、２０ｍｓの信号として送信される。
【００２７】
ＧＰＳ衛星から送信される信号は、１５００ビット、すなわち３０秒を単位とするフレームに区切られ、さらに、フレームは５つのサブフレームに分けられる。図４は、ＧＰＳ衛星から送信される信号のサブフレームの構成を示す概略図である。各サブフレームは、３００ビットの情報を含む６秒間の信号であり、順番に１から５のサブフレーム番号が付けられている。ＧＰＳ衛星は、サブフレーム１から順次送信を行い、サブフレーム５の送信を終えると、再度サブフレーム１の送信に戻り、以降同様に繰り返す。
【００２８】
各サブフレームの先頭では、ＴＬＭとして示すテレメトリワードが送信される。ＴＬＭは、各サブフレームの先頭を示すコードと、地上管制局の情報を含んでいる。続いて、ＨＯＷとして示すハンドオーバワードが送信させる。ＨＯＷには、Ｚカウントとも呼ばれる現在の時刻に関する情報であるＴＯＷ（Ｔｉｍｅ  Ｏｆ  Ｗｅｅｋ）が含まれている。これは、ＧＰＳ時刻の日曜日の午前０時からカウントした１．５秒単位の時間であり、次のサブフレームが開始される時刻を示している。
【００２９】
ＨＯＷに続く情報は、各サブフレームごとに異なっており、サブフレーム１には、衛星時計の補正データが含まれている。図５は、サブフレーム１の構成を示す図である。サブフレーム１には、ＨＯＷに続いてＷＮ（Ｗｅｅｋ  Ｎｕｍｂｅｒ）として示す週番号が含まれている。ＷＮは、１９８０年１月６日を０週としてカウントした現在の週を示す数値である。したがって、ＷＮ及びＴＯＷを受信することにより、ＧＰＳ時刻における正確な日時が得られる。なお、ＷＮは一度受信に成功すれば、電波腕時計が内部時刻を何らかの理由、例えば、電池切れ等により失わない限り、内部時刻の計時により正しい値を知ることができるため、再度の受信は必要ない。なお、ＷＮは１０ビットであるため、１０２４週を経過すると再び０に戻る。また、ＧＰＳ衛星からの信号には、この他にも種々の情報が含まれるが、本発明に直接関係の無い情報については、図に示すにとどめ、その説明は省略する。
【００３０】
再び図４に戻ると、サブフレーム２及びサブフレーム３にはＨＯＷに続いてエフェメリスと呼ばれる各衛星の軌道情報が含まれているが、その説明は本明細書では割愛する。
【００３１】
さらに、サブフレーム４及び５には、ＨＯＷに続いてアルマナックと呼ばれる全ＧＰＳ衛星の概略軌道情報が含まれる。サブフレーム４及び５に収容される情報は、その情報量が多いため、ページと呼ばれる単位に分割されて送信される。そして、サブフレーム４及び５により送信されるデータはそれぞれページ１〜２５に分割されており、フレームごとに異なるページの内容が順番に送信される。したがって、全てのページの内容を送信するには２５フレーム、すなわち、１２．５分を要することになる。
【００３２】
図６は、サブフレーム４のページ１８の構成を示す図である。同図に示すように、サブフレーム４のページ１８の２４１ビット目には、現在の閏秒に関する情報である現在の閏秒ΔｔＬＳが含まれる。ΔｔＬＳは、ＵＴＣとＧＰＳ時刻とのずれを秒数で示したものであり、ＧＰＳ時刻にΔｔＬＳを加算することによりＵＴＣが求められる。
【００３３】
以上の説明より明らかなように、ＴＯＷは全てのサブフレームに含まれているために６秒毎に、ＷＮはサブフレーム１に含まれているために３０秒毎に取得可能であるのに対し、ΔｔＬＳは２５フレームに一度しか送信されないため、１２．５分毎にしか取得することができない。
【００３４】
なお、ここで閏秒について簡単に説明しておくと、閏秒は、地球の自転周期のずれ等を補正するためのものであり、天文学的な観測結果に基づき、必要に応じて毎月１日の午前０時に追加あるいは削除されうるものである。しかしながら、これまでのところ、不定期に１月１日午前０時又は７月１日午前０時のいずれか若しくはその両方における追加のみがなされている。ＧＰＳ衛星からの信号に含まれるΔｔＬＳは、かかる閏秒の追加により累積されたＧＰＳ時刻とＵＴＣとのずれを示すものであり、ＵＴＣに閏秒の追加が行われた際に更新されるものと思われる。
【００３５】
再び図１に戻ると、状態表示目盛７には、状態表示針６が指し示す種々の電波腕時計１００の状態が記されており、本実施形態では、それらは、受信動作表示部２１、受信環境表示部２２及び、時刻精度表示部２３に分けられる。
【００３６】
受信動作表示部２１は、電波腕時計１００が現在受信に関するどのような動作中であるかを示す表示であり、「Ｒ」及び「Ｗ」の表示からなる。「Ｒ」は電波腕時計１００が現在電波を受信中、すなわち、高周波回路及びデコーダ回路を動作させていることを示している。一方、「Ｗ」は、次回の現在の閏秒に関する情報である、ΔｔＬＳを受信することを予告する表示である。前述したとおり、ΔｔＬＳは１２．５分に一度しか送信されない。そのため、ΔｔＬＳが送信されるまでの長時間にわたり、高周波回路及びデコーダ回路に電力を供給し続けることは、電力消費の無駄となる。そこで、コントローラは、ΔｔＬＳを受信しようとする際には、次回ΔｔＬＳが送信される直前に高周波回路及びデコーダ回路を動作させ、それまでの時間においては、高周波回路及びデコーダ回路に電力を供給をせず、消費電力を削減する。「Ｗ」は、かかる状態、すなわち、現時点では高周波回路及びデコーダ回路は動作していないが、次回のΔｔＬＳの送信時に高周波回路及びデコーダ回路が動作させられることを示している。換言すれば、当該表示は、現在の閏秒に関する情報の次回の送信時に、前記現在の閏秒に関する情報の受信を試みることを示す、閏秒受信予告情報を表示するものである。また、かかる受信予告情報、すなわち、受信動作表示部２１の「Ｗ」を状態表示針６が指し示している際には、状態表示針６は、閏秒受信予告情報表示手段として機能していることになる。なお、ここで、「次回」とは、現時点からみて、ΔｔＬＳが送信される最も近いタイミングのことを指している。
【００３７】
受信環境表示部２２は、電波腕時計１００がおかれている環境が衛星からの電波の受信にどれほど適しているかを示す表示である。本実施形態では、太陽電池からの発電量（又は出力電圧）に基づいて、受信環境を「１」、「２」及び「３」の３段階で示す。これは、太陽電池に強い光があたり、発電量が高い状況は、日中の屋外や窓際など、直接衛星が見通せる環境にある可能性が高いことに基づいている。なお、これは一例であり、この他にも、光センサや紫外線センサなどの受光手段を設け、その出力に基づいて受信環境を示しても、一時的に高周波回路を動作させ、任意のＧＰＳ衛星を示すＣ／Ａコードと受信電波との相関をとり、得られた相関値に基づいて受信環境を表示するなどしてもよい。また、受信環境を示す表示の具体的な内容や、段階を変更、例えば、２段階や４段階以上の複数段階表示としたり、連続的な表示としてもよい。
【００３８】
時刻精度表示部２３は、電波腕時計１００の内部時刻の精度に関する情報を示す表示である。かかる表示には、種々の形態が考えられるが、本実施形態では、現在の時刻に関する情報の信頼性及び現在の閏秒に関する情報の信頼性を直接示す表示を採用している。そして、現在の時刻に関する情報とは、パッチアンテナにより受信されたＴＯＷであり、現在の閏秒に関する情報とは、同様に受信されたΔｔＬＳを意味することになる。時刻精度表示部２３において、「ＰＦＴ」とあるのは、ＴＯＷ及びΔｔＬＳの双方に信頼性がある状態を示している。「ＴＷ」は、ＴＯＷの信頼性が無い状態を、「ＬＳ」は、ΔｔＬＳの信頼性が無い状態を、そして、「ＴＬ」はＴＯＷ及びΔｔＬＳの双方の信頼性が無い状態を意味している。なお、ここで示した具体的な表示の内容は一例であり、各状態をどのように表現するかは任意である。また、ここでは、「ＰＦＴ」は”Ｐｅｒｆｅｃｔ”を、「ＬＳ」は”Ｌｅａｐ  Ｓｅｃｏｎｄ”をそれぞれ略して示したものである。
【００３９】
ここで、現在の時刻に関する情報の信頼性及び現在の閏秒に関する情報の信頼性について考察する。まず、現在の時刻に関する情報の信頼性、すなわち、ＴＯＷの信頼性については、最後にＴＯＷを受信した時点からの経過時間に依存する。本実施形態の電波腕時計１００の時計回路は、月差±１５秒程度の精度であるから、最後にＴＯＷを受信した時点からの経過時間が４８時間（すなわち、２日）を超えると、現在の正確な時刻と内部時刻とのずれが１秒を超える可能性が生じる。そこで、一例として、最後にＴＯＷを受信した時点からの経過時間が４８時間以内であれば現在の時刻に関する情報の信頼性があると判定し、それを超えると現在の時刻に関する情報の信頼性がないと判定することが考えられる。もちろん、判定に用いる経過時間をどのようにするかは、時計回路の精度や正確な時刻とのずれをどの程度許容するかに依存するため、任意に設定して良い。あるいは、日付が変わると、すなわち、午前零時を過ぎると一律に、現在の時刻に関する情報の信頼性がないと判定するようにしてもよい。いずれにせよ、現在の時刻に関する情報の信頼性は、最後に現在の時刻に関する情報を受信した時点からの経過時間に基づくか、若しくは、現在の時刻に関する情報の受信後、あらかじめ定められた時刻を経過するか否かに基づいて定めてよい。
【００４０】
また、現在の閏秒に関する情報の信頼性について、前述の通り、閏秒は毎月１日の午前０時に追加あるいは削除される可能性がある。従って、現在の閏秒に関する情報、すなわち、ΔｔＬＳの信頼性は、ΔｔＬＳを受信した時点より後の閏秒が追加あるいは削除されうる時点を経過しているか否かに基づいて定めるとよい。具体的には、ΔｔＬＳを受信してから、翌月の１日午前０時を経過するまでは現在の閏秒に関する情報の信頼性があるとし、経過後は現在の閏秒に関する情報の信頼性がないとする。もしくは、これまでのところ、閏秒の追加が１月１日又は７月１日の午前０時にしかなされていないことを考慮すると、ΔｔＬＳを受信してから、次の１月１日又は７月１日の午前０時を経過するまでは現在の閏秒に関する情報の信頼性があるとすることも考えられる。この場合には、ΔｔＬＳを受信した時点より後の閏秒が追加あるいは削除されうる時点を１月１日又は７月１日の午前０時であるとみなしていることになる。
【００４１】
なお、これまでのところ、概ね年に１回ほどの頻度で閏秒の追加が行われていることに鑑みて、現在の閏秒に関する情報の信頼性を、最後に現在の閏秒に関する情報を受信した時点から所定の時間、例えば、１年を経過するか否かによって定めることも考えられる。
【００４２】
また、電波腕時計１００が、長時間充電されることなく稼働するなどして、電源電圧が下がり、いわゆるパワーオフの状態となった場合や、何らかの原因により電波腕時計１００の初期化が行われた場合から再び起動した場合には、ＴＯＷ、ΔｔＬＳに加え、ＷＮについても正しい値ではないと考えられる。このような場合には、現在の時刻に関する情報の信頼性及び現在の閏秒に関する情報の信頼性の双方が無いとすることはもちろん、現在の日付に関する情報についても信頼性が無いと考えられる。本実施形態に係る電波腕時計１００では、現在の日付に関する情報についての信頼性の有無は特に表示を行っていないが、これを表示するようにしても良い。
【００４３】
なお、状態表示針６は、以上の状態表示目盛７に含まれる各表示を指し示す指針であるため、受信動作表示部２１を指し示している際には、電波腕時計１００が現在受信に関するどのような動作中であるかを示す受信動作表示手段として、受信環境表示部２２を指し示している際には、電波腕時計１００がおかれている環境が衛星からの電波の受信にどれほど適しているかを示す受信環境表示手段として、また、時刻精度表示部２３を指し示している際には、電波腕時計１００の内部時刻の精度に関する情報を示す時刻精度表示手段として機能することになる。
【００４４】
また、受信環境表示部２２及び時刻精度表示部２３は、本実施形態において必須のものではなく、省略しても差し支えない。
【００４５】
続いて、本実施形態に係る電波腕時計の受信の際の動作を説明する。
【００４６】
図７乃至図９は、本実施形態に係る電波腕時計の、受信の際の動作を示すフローチャートである。この動作は、前述したように、例えば、ボタン等による使用者からの要求がなされた時や、あらかじめ定められた時刻となったとき、前回の時刻修正があった時刻からの経過時間、あるいは太陽電池１８の発電量やその他の電波腕時計１００の周囲の環境を示す情報等に基づいて実行するようにして良い。
【００４７】
まず、コントローラは、ステップＳ１で、ＴＯＷに信頼性があるか否かを判定する。ＴＯＷに信頼性がある場合には、すぐにステップＳ６へと進み、信頼性がない場合にはＴＯＷの受信をすべく、ステップＳ２へと進む。ステップＳ２では、状態表示針を動作状態表示部の「Ｒ」を表示するよう動作させる。次いでステップＳ３で、コントローラは、高周波回路及びデコード回路に給電し、ＴＯＷの受信を試みる。ステップＳ４では、ＴＯＷの受信に成功したか否かを判定し、受信に成功していれば内部時刻を正しい値に修正し（ステップＳ５）ステップＳ６へと進み、受信に失敗していれば図８のステップＳ２２へと進む。
【００４８】
なお、現在の日付に関する情報についての信頼性、すなわち、ＷＮの信頼性が無い場合には、ステップＳ３におけるＴＯＷの受信時に、同時にＷＮを受信するよう試みても良い。あるいは、ＷＮを単独で受信するようにしても良い。電波腕時計が時刻表示のみを行う場合には、必ずしもＷＮの取得は必須ではないが、ΔｔＬＳの信頼性を正確に管理する上では、現在の日付を得る必要があるからである。もちろん、電波腕時計が日付表示をするもので有ればＷＮを取得することが望ましい。しかしながら、この場合においてもＷＮの取得は必須ではなく、例えば、使用者が現在の日付を設定するようにしてもよい。
【００４９】
ここで、最初にＴＯＷに信頼性があるか否かを調べ、なければＴＯＷの受信をするようにしているのは、ΔｔＬＳが送信されるタイミングを正確に予測するため、電波腕時計の内部時刻を正確な値に校正しておく必要があるからである。
【００５０】
ステップＳ６では、ΔｔＬＳに信頼性があるか否かを判定する。ΔｔＬＳに信頼性がある場合には、ΔｔＬＳを受信する必要はないので図９のステップＳ２２へと進む。ΔｔＬＳに信頼性がない場合には、ステップＳ７へと進み、送信待ち時間ｔｗを算出する。送信待ち時間ｔｗは、現在時刻から次のΔｔＬＳの送信がされるまでの時間である。先に説明したとおり、ΔｔＬＳはサブフレーム４、ページ１８の２４１ビット目から送信され、各フレームは３０秒で、すべてのページは１２．５分で一巡するように繰り返し送信されるため、ＧＰＳ時刻が正確に分かっている、すなわち、受信したＴＯＷの信頼性がある状態では、ΔｔＬＳが送信される最も早いタイミングは容易に予測される。
【００５１】
そして、ステップＳ８で、送信待ち時間が最大待ち時間ｔｍａｘより大きいか否か判定する。大きい場合は、図９のステップＳ２２へと進み、そうでなければステップＳ９へと進む。この判定は、送信待ち時間ｔｗが長すぎる場合には、ΔｔＬＳの受信を取りやめるというものである。換言すれば、現時点から現在の閏秒に関する情報の次回の送信時までの時間である送信待ち時間ｔｗに応じて、前記現在の閏秒に関する情報の受信を制限するものである。その閾値である最大待ち時間ｔｍａｘは、例えば、６分としてよい。もちろん、最大待ち時間ｔｍａｘは任意でありどのように定めてもよく、また、使用者が最大待ち時間ｔｍａｘを設定できるようにすることも好ましい。なお、かかる判定は必須のものではなく、不要であればステップＳ８は省略しても差し支えない。ステップＳ９では、状態表示針を動作状態表示部の「Ｗ」を表示するよう動作させ、次回の現在の閏秒に関する情報である、ΔｔＬＳを受信することを予告する。
【００５２】
次いで、ステップＳ１０へと進み、ΔｔＬＳの受信のタイミングが到来したか否かを判定する。ΔｔＬＳの受信のタイミングは、高周波回路及びデコード回路の起動時間や、衛星からの送信波と同調を取る時間、内部時刻の誤差等を考慮し、内部時刻より予測されるΔｔＬＳの送信のタイミングより若干早め、例えば、１〜２秒程度早めにするとよい。このタイミングは、ΔｔＬＳの受信に支障のない限り内部時刻より予測されるΔｔＬＳの送信のタイミングに近い方が、高周波回路及びデコード回路を動作させる時間が短くなり、消費電力を節減する観点からは望ましい。
【００５３】
ΔｔＬＳの受信のタイミングが到来していない場合は、ステップＳ１１へと進み、現時点での送信待ち時間ｔｗに関する情報を使用者に通知する。この通知は種々の方法を用いて良く、その具体的な方法については後述する。
【００５４】
ステップＳ１２では、使用者による時刻表示指示がされているか否かを判定する。これは、電波腕時計が現時点での送信待ち時間ｔｗに関する情報を使用者に通知している状態では、後述する例で示すように、現在時刻が完全に表示されない場合があるため、そのような場合に、使用者が正確な現在時刻を知りたいときに、一時的に現在時刻の表示をさせる指示である。この時刻表示指示は、どのような手段によってなされても良いが、ここでは、ボタンを短押し（例えば、ボタンを１秒未満の時間で押下する状態）することにより、時刻表示指示がなされることとする。
【００５５】
時刻表示指示が無ければ、ステップＳ１３へと進み、使用者による中断指示がされているか否かを判定する。使用者による中断指示もまた、どのような手段によってもよいが、例えば、ボタンを操作することにより受け付けられる。ここでは、特に、ボタンを長押し（例えば、ボタンを１秒以上押し続ける状態）することにより、中断指示がなされることとする。これにより、ボタンの短押しにより指示される時刻表示指示と区別される。かかる中断指示は、例えば、先のステップＳ１１により示された送信待ち時間ｔｗが長い、あるいは、ΔｔＬＳの受信のタイミングで電波環境が悪いことが予想される等の場合になされうる。使用者による中断指示がなされている場合には、図９のステップＳ２２へと進みΔｔＬＳの受信を取りやめる。
【００５６】
なお、本実施形態では、時刻表示指示の有無の判定を行った後に中断指示の有無を判定するようにしている。これは、時刻表示指示及び中断指示が同一のボタンを操作することによりなされ、かつ、時刻表示指示が短押しによる指示であり、中断指示が長押しによる指示であることから、時刻表示指示が中断指示より短い時間で検知されることによる。もちろん、時刻表示指示及び中断指示の指示方法は同一のボタンの短押し及び長押しによる指示に限定されず、他にも、異なるボタンの押下により両者を区別して指示する等してもよい。この場合は、時刻表示指示の有無の判定と、中断指示の有無の判定を行う順番を入れ替えても良い。
【００５７】
ステップＳ１３において中断指示が無ければステップＳ１０へと戻り、ΔｔＬＳが送信されるタイミングが到来するまで繰り返す。一方、ステップＳ１２において時刻表示指示があれば、さらにステップＳ１４へと進み、ΔｔＬＳが送信されるタイミングまでの残り時間が所定時間、例えば、１分以下であるか否かを判定する。これは、ΔｔＬＳが送信されるタイミングまでの残り時間が少ない場合には、時刻表示をするための指針の駆動中にΔｔＬＳが送信されるタイミングが到来する可能性があるため、現在時刻の表示を禁止する趣旨である。残り時間に余裕が無ければステップＳ１０へと戻り、残り時間に余裕がある場合にはステップＳ１５へと進み、指針を駆動し、現在時刻の表示を行う。
【００５８】
その後ステップＳ１６へと進み、現在時刻の表示を行ってから一定時間、例えば、３０秒が経過したか否かを判定する。既に一定時間が経過しているならば、現在時刻の表示を終了し、再び送信待ち時間ｔｗに関する情報を使用者に通知すべく、ステップＳ１０へと戻る。
【００５９】
一定時間がいまだ経過していない場合には、続くステップＳ１７において、使用者による復帰指示がされているか否かを判定する。この復帰指示とは、現在時刻を表示する状態から、送信待ち時間ｔｗに関する情報を通知する状態へと復帰するよう指示するものであり、例えば、使用者が現在時刻の確認を終えた後に当該指示をすることが考えられる。この復帰指示もまた、どのような手段によってなされても良いが、ここでは、ボタンの短押しによるものとする。復帰指示がある場合には、ステップＳ１０へと戻り送信待ち時間ｔｗに関する情報を使用者に通知し、復帰支持が無い場合には、ステップＳ１５へと戻り現在時刻の表示を継続する。
【００６０】
なお、使用者による中断指示を受け付けるか否か、あるいは、時刻表示指示を受け付けるか否かは任意であり、不要であればこのステップＳ１２乃至Ｓ１７を省略してもよい。その場合には、ステップＳ１１による送信待ち時間ｔｗに関する情報の通知後、直ちにステップＳ１０へと戻ることになる。
【００６１】
ΔｔＬＳの受信のタイミングが到来した場合には、ステップＳ１０からステップＳ１８へと進み、状態表示針を動作状態表示部の「Ｒ」を表示するよう動作させ、続くステップＳ１９で、コントローラは高周波回路及びデコード回路に給電し、ΔｔＬＳの受信を試みる。なお、この際に、６秒に一度送信されるＴＯＷを併せて受信してもよい。その場合、受信するＴＯＷは、ΔｔＬＳと同じサブフレーム４のページ１８中のＨＯＷに含まれるものであってもよいし、サブフレーム４に続けて送信されるサブフレーム５に含まれるものであってもよい（図４参照）。
【００６２】
受信の試みが終了すると、ステップＳ２０へと進み、ΔｔＬＳの受信が成功したか否かを判定する。受信に成功していれば内部時刻を受信されたΔｔＬＳを反映した正しい値に修正し（ステップＳ２１）、受信に失敗していればステップＳ２２へと進む。
【００６３】
ステップＳ２２では、電波腕時計の表示を、通常の時刻を表示する状態へと復帰ざせる。本実施形態の場合、図１に示すように、時針３、分針４及び秒針５により内部時刻に基づく現在時刻を表示するとともに、状態表示針６は、ＴＯＷの信頼性及びΔｔＬＳの信頼性に基づいて、時刻精度表示部２３のいずれかの位置を表示する状態となる。なお、このとき、状態表示針６の中立位置がある場合には、かかる中立位置を示すようにしてもよい。あるいは、秒針５が状態表示針６の機能を兼ねている場合には、受信結果、すなわち、時刻精度表示部２３のいずれかの位置を一定時間表示した後、現在時刻の秒を示すようにしてもよい。電波腕時計の表示が通常の時刻を表示する状態へと復帰すれば、受信の際の動作は終了である。
【００６４】
なお、図７乃至９に示したフローチャートは電波腕時計の制御の一例であり、これに限定されない。同様の機能を発現できる制御で有ればどのようなものを用いてもよい。
【００６５】
図１０は、本実施形態に係る電波腕時計１００が送信待ち時間ｔｗに関する情報を使用者に通知している例を示す図である。
【００６６】
本実施形態の電波腕時計１００は、時針３が、分針４及び秒針５と独立して駆動されるものとする。そして、時針３を、送信待ち時間ｔｗに関する情報を使用者に通知する送信待ち時間通知手段として用いるものである。すなわち、同図に示すように、状態表示針６は、次回のΔｔＬＳを受信することを予告するため、受信動作表示部２１の「Ｗ」を指し示している。そして、時針３は、通常の時刻の時ではなく、送信待ち時間ｔｗを分単位で示している。例えば、６時位置であれば残りの送信待ち時間ｔｗが６分、３時位置であれば送信待ち時間ｔｗが３分といった具合である。時針３は本実施形態では逆回転、すなわち、反時計回りに駆動されることになる。また、時針３の駆動はいわゆるステップ運針により分単位で行ってもよいし、連続的に行ってもよい。図９は、送信待ち時間ｔｗが４分から３分になった時点での時針３の動きを示している。
【００６７】
なお、送信待ち時間ｔｗを示す指針は、時針３に限定されず、分針４や秒針５であってもよい。その場合、送信待ち時間ｔｗを示す指針が他の指針から独立して駆動できるものであるとよい。
【００６８】
また、コントローラは、送信待ち時間ｔｗに関する情報として、ΔｔＬＳの受信のタイミングが近づいたことを音や振動を用いて使用者に通知する。本実施形態では、例えば、受信１分前になると、ブザー２０（図３参照）よりアラーム音を発し、使用者にΔｔＬＳの受信が近いことを通知する。これにより、使用者は、電波腕時計１００を衛星からの受信に適した場所や姿勢に保つことができ、受信が成功する可能性が高められる。
【００６９】
なお、ここで、「送信待ち時間ｔｗに関する情報」とは、送信待ち時間ｔｗを使用者が認識する上で有用な情報であればよく、送信待ち時間ｔｗそのものでなくともよい。例えば、前述したように、送信待ち時間ｔｗを分単位に丸めたものであってもよいし、ΔｔＬＳの受信のタイミングが近づいたこと、すなわち、送信待ち時間ｔｗがある値になったことであってもよい。
【００７０】
図１１は、本実施形態に係る電波腕時計１００が送信待ち時間ｔｗに関する情報を使用者に通知している別の例を示す図である。本例では、時針３に換え、秒針５により送信待ち時間ｔｗを分単位で示すようにしている。すなわち、秒針３が６時位置であれば残りの送信待ち時間ｔｗが６分、３時位置であれば送信待ち時間ｔｗが３分といった具合である。そして、本例では、分針４と秒針５は連動して動作する。
【００７１】
同図は、送信待ち時間ｔｗが４分から３分になった時点での秒針５及び分針４の動きを示している。秒針５は、送信待ち時間ｔｗが４分であること示す位置、すなわち、４時の位置から、順回転、すなわち、時計回りに、矢印Ａで示すように早送りで駆動され、送信待ち時間ｔｗが３分であること示す位置、すなわち、３時の位置へと送られる。このときの秒針５の移動量は、通常の時刻表示では５５秒分に相当する。そして、分針４は秒針５と連動しているため、矢印Ｂで示すように、分針４もまた通常の時刻表示では５５秒分に相当する量だけ送られる。
【００７２】
このようにすると、送信待ち時間ｔｗすなわち現実の時間が１分経過する毎に、電波腕時計１００の文字板２上では、分針４及び秒針５はほぼ１分に近い５５秒に相当する量だけ送られていくことになる。そのため、かかる送信待ち時間ｔｗに関する情報の通知方法を用いれば、時針３及び分針４が指し示す時刻は、現実の時刻をほぼ正確に示すものとなる。
【００７３】
本例による送信待ち時間ｔｗに関する情報の表示にあたっては、秒針５を必ず順回転（時計まわり）に送るようにして、送信待ち時間ｔｗに対応する時表示の位置に移動させるようにすることが好ましい。このようにすると、通常の時刻表示を行っている状態から、送信待ち時間ｔｗに関する情報を表示する状態に遷移する際に、分針４及び秒針５は、表示上の時刻を進める方向に駆動されることになる。このとき、秒針５は一回転以上はしないため、分針４が指し示す時刻のずれは６０秒未満で進んでいることになる。
【００７４】
そして、前述したとおり、ΔｔＬＳの受信のタイミングが到来するまで、１分毎に分針４及び秒針５は５５秒に相当する量だけ順回転で送られる。すなわち、分針４は、１分毎に５秒ずつ遅れていくことになる。ここで、ΔｔＬＳの送信は１２．５分に一回であるから、分針４の遅れは、最大で１２回×５秒＝６０秒となる。なぜなら、１３回目の時点では必ずΔｔＬＳの受信のタイミングが到来していることになるため、状態表示針６は「Ｒ」位置を示し、分針３及び秒針４は通常の時刻表示となるからである。すなわち、ΔｔＬＳの受信のタイミングが到来するまで、分針は最大で６０秒遅れることになる。
【００７５】
以上の通り、分針３の表示する時刻は、送信待ち時間ｔｗに関する情報を表示する状態に遷移する際に６０秒未満で進み、ΔｔＬＳの受信のタイミングが到来するまでに最大６０秒遅れるのであるから、その時刻表示の誤差は、±１分以内となる。
【００７６】
本例では、送信待ち時間ｔｗに関する情報を表示する際に、秒針５及び分針４が連動していても良いのであるから、時針３、分針４及び秒針５が全て連動している場合にも適用できる。そのため、独立して駆動する指針数が少なくて済み、モータの数が少なくてよいのでコスト面で有利である。
【００７７】
図１２は、本実施形態に係る電波腕時計１００が送信待ち時間ｔｗに関する情報を使用者に通知しているさらに別の例を示す図である。本例では、秒針５により待ち時間ｔｗを分単位で示すが、その表示方法が先の２例とは異なっている。なお、本例では、時針３、分針４及び秒針５の連動非連動は特に問わない。
【００７８】
本例では、秒針の複数秒運針により送信待ち時間ｔｗを使用者に通知している。ここで、複数秒運針とは、一般に、２秒運針や４秒運針などとして知られている、秒針の特殊な運針方法である。いわゆるステップ運針を行う秒針は、通常、１秒毎に１秒分の動作をする運針を行っているが、複数秒運針では、秒針は複数秒毎に、複数秒分の運針を行う。すなわち、ｎ秒毎に運針を行うｎ秒運針では、秒針は、ｎ秒毎に、文字盤上の位置がｎ秒分まとめて進むように動作させられることになる。
【００７９】
そして、ここでは、２秒運針であれば送信待ち時間ｔｗが２分であり、３秒運針であれば送信待ち時間ｔｗが３分であるといった具合に、ｎ秒運針により送信待ち時間ｔｗがｎ分であることを示す。同図は、送信待ち時間ｔｗが２分の時点において、秒針５が２秒運針を行っている様子を示している。なお、各種の複数秒運針と、送信待ち時間ｔｗとの対応関係をどのように設定するかは任意である。
【００８０】
また、送信待ち時間ｔｗは最大で１２．５分であるから、本例では、秒針５は最大で１３秒運針がなされることになる。しかしながら、ｎ秒運針のｎが大きくなると一見して分かりづらくなるため、送信待ち時間ｔｗがある一定時間以上であれば同一量の複数秒運針を行うようにしてもよい。例えば、送信待ち時間ｔｗが５分より大きい場合には、６秒運針を行うことが考えられる。
【００８１】
さらに、本実施形態に係る電波腕時計が送信待ち時間ｔｗに関する情報を使用者に通知するさらに別の例として、音または振動を用いてもよい。すなわち、ブザー２０（図４参照）を用い、送信待ち時間ｔｗが残り４分で有れば短いアラーム音を４回鳴らし、送信待ち時間ｔｗが残り３分で有れば短いアラーム音を３回鳴らすといった具合にアラーム音により送信待ち時間ｔｗを使用者に通知してよい。なお、アラーム音のパターンと、送信待ち時間ｔｗとの対応関係は任意である。また、アラーム音は必ずしも１分毎に鳴らさずとも良い。例えば、送信待ち時間ｔｗが、１０分、５分、３分、２分、１分の時点でアラーム音を鳴らすようにしてもよい。もちろん、音に換え、振動発生手段を用いた振動により使用者に通知するようにしてもよく、音と振動の両方を用いても良い。
【００８２】
続いて、本発明の第２の実施形態を図１３を用いて説明する。
【００８３】
図１３は、本発明の第２の実施形態に係る電波腕時計２００の平面図である。本実施形態では、状態表示針は設けられておらず、代わりに、秒針５が状態表示針の機能を兼ねている。秒針５が秒を示す状態である時刻表示モードと、秒針５が電波腕時計２００の各種状態を表示する状態表示モードとは、使用者が入力手段を操作することにより、例えば、ボタン９を操作することにより切り替えられるようになっている。
【００８４】
電波腕時計２００の胴１の外周部には、状態表示目盛７が刻印や印刷等により記されている。状態表示目盛７が受信動作表示部２１、受信環境表示部２２及び時刻精度表示部２３を有するのは、第１の実施形態と同様である。なお、状態表示目盛７は、胴１でなく、文字板２の外周部に設けるようにしてもよい。
【００８５】
受信環境表示部２２及び時刻精度表示部２３の表示内容及び意味は第１の実施形態と同様であるから、その詳細な説明は省略する。一方、受信動作表示部２１は、第１の実施形態同様の「Ｗ」、「Ｒ」の表示に加え、「１」乃至「１２」の表示を有している。そして、「１」の隣の０に相当する位置に「Ｒ」が記されている。
【００８６】
本実施形態においては、ΔｔＬＳの受信を行う際に、秒針５は一旦「Ｗ」を指し示す。これは、ΔｔＬＳの次回の送信時に、ΔｔＬＳの受信を試みることの予告である。したがって、本実施形態では、秒針５は、現在の閏秒に関する情報の次回の送信時に、現在の閏秒に関する情報の受信を試みることを示す閏秒受信予告情報を表示する閏秒受信予告情報表示手段に相当する。
【００８７】
秒針５は、一定あるいは任意の時間「Ｗ」を示した後、送信待ち時間ｔｗに応じて受信動作表示部２１に記された数字を指し示す。例えば、送信待ち時間ｔｗが３分で有れば「３」を指す。また、送信待ち時間ｔｗが０となるときは、ΔｔＬＳの受信のタイミングであるから、秒針５は「Ｒ」を指し示す。
【００８８】
なお、ここで示した状態表示目盛７の配置や具体的な表示は一例であり、これに限定されない。電波腕時計２００の仕様やデザインに応じて種々の変形を行って差し支えない。
【００８９】
また、電波腕時計２００の内部構造や、制御については、ここで説明した部分以外は第１の実施形態と同様である。
【００９０】
以上説明した各実施形態に係る電波腕時計では、ＧＰＳ衛星からの送信波を受信する際に指針（時針、分針、秒針及び状態表示針）を駆動するにあたっては、受信しなければならない情報が送信されていない時間帯に行うことが望ましい。すなわち、受信しようとする情報である、ＴＯＷ、ＷＮ、ΔｔＬＳおよび、ＴＬＭに含まれる同期用プリアンブルが送信されている時間帯以外の時間帯、例えば、エフェメリスやアルマナックが送信されている時間帯で行うことが望ましい。もし、指針を駆動するタイミングと、これら受信しようとする情報が送信する時間帯が重複する場合には、指針の駆動を一時停止するか、受信しようとする情報の受信タイミングを、次に送信するタイミングまで待つようにするとよい。例えば、受信しようとする情報がＴＯＷであれば、現在のサブフレームでなく、次のサブフレームに含まれるＴＯＷを受信する。このようにすることで、指針を駆動する際にモータ等により発生するノイズにより、衛星からの送信波の受信が阻害され、受信の成功確率が低下することを避ける。
【００９１】
また、以上説明した各実施形態では、衛星からの電波として、ＧＰＳ衛星からの送信波を用いるものとして説明した。しかしながら、本発明はこれに限定されず、衛星における時刻の情報が送信される間隔に比して、衛星における自国と協定世界時とのずれを示す情報が送信される間隔が長い信号を送信する衛星であればどのようなものであってもよい。その場合、本明細書中で用いたＴＯＷ、ＷＮやΔｔＬＳなどの呼び名やフォーマットは、適宜その衛星に合わせて読み換えて良い。
【符号の説明】
【００９２】
１  胴、２  文字板、３  時針、４  分針、５  秒針、６  状態表示針、７  状態表示目盛、８  竜頭、９  ボタン、１０  バンド固定部、１１  パッチアンテナ、１２  電池、１３  コントローラ、１４  高周波回路、１５  デコード回路、１６，１７  モータ、１８  太陽電池、１９  スイッチ、２０  ブザー、２１  受信動作表示部、２２  受信環境表示部、２３  時刻精度表示部、１００，２００  電波腕時計。
【図１】
0005468955.tif 000002
【図２】
0005468955.tif 000003
【図３】
0005468955.tif 000004
【図４】
0005468955.tif 000005
【図５】
0005468955.tif 000006
【図６】
0005468955.tif 000007
【図７】
0005468955.tif 000008
【図８】
0005468955.tif 000009
【図９】
0005468955.tif 000010
【図１０】
0005468955.tif 000011
【図１１】
0005468955.tif 000012
【図１２】
0005468955.tif 000013
【図１３】
0005468955.tif 000014